【事件の表示】
　特願２００３−５０８２８０号「屈曲性および柔軟性が高いステント」拒絶査定不服審判事件〔平成１５年　１月　９日国際公開、ＷＯ０３／０２０３７、平成１６年１０月１４日国内公表、特表２００４−５３１３４７号〕について、次のとおり審決する。
【結　論】
　本件審判の請求は、成り立たない。
【理　由】
１．手続の経緯
　本願は、２００２年６月２７日（パリ条約による優先権主張２００１年６月２９日、米国）を国際出願日とする出願であって、平成１８年１２月１９日付けで拒絶査定がなされ、これに対し、平成１９年３月２２日に拒絶査定不服審判が請求されるとともに、同年４月２０日付けで明細書についての手続補正がなされたものである。
　
２．平成１９年４月２０日付けの手続補正についての補正却下の決定
［補正却下の決定の結論］
　平成１９年４月２０日付けの手続補正を却下する。
［理由］
（１）補正後の本願発明
　平成１９年４月２０日付けの手続補正（以下、「本件補正」という。）により、特許請求の範囲の請求項５は、
「　【請求項５】
　体管腔内に留置させるためのステントであって、
　それぞれがステントの長手方向軸の周囲で延びる外周を有し且つほぼ単独で径方向に拡張可能である複数の隣り合う円筒部材であって、ステントの長手方向軸と直交する曲がりくねった波形パターンに概ね形成されている複数の隣り合う円筒部材と、
　前記円筒部材間で延びることで隣り合う円筒部材同士を接続する複数の相互接続部材であって、そのうちの幾つかに、その屈曲性を高めるための一個または複数個の屈曲部が形成されている複数の相互接続部材と、
　を備え、
　前記各相互接続部材には、少なくとも１つの屈曲部が形成され
、前記屈曲部は、両側の相互接続部材から明瞭に区別される切欠部を形成する
　
　前記補正は、補正前の請求項５に記載した発明を特定するために必要な事項である「屈曲部」について、「屈曲部は、両側の相互接続部材から明瞭に区別される切欠部を形成する」という限定を付加するものである。
　この限定した事項は、願書に最初に添付した明細書又は図面に記載されており、補正後の請求項５に記載された発明は、補正前の請求項５に記載された発明と、発明の産業上の利用分野及び解決しようとする課題が異なるものではなく、本件補正は、平成１８年法律第５５号改正附則第３条第１項によりなお従前の例によるとされる同法による改正前の特許法第１７条の２第４項第２号に規定する特許請求の範囲の減縮を目的とするものに該当する。
　そこで、本件補正後の請求項５に記載された事項により特定される発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
（２）引用刊行物
　原査定の拒絶の理由に引用された刊行物である国際公開第９８／５６３１３号（以下、「引用例」という。）には、つぎのとおり記載されている（訳文として、引用例に係る公表特許公報（特表２００２−５０４８３８号公報）を援用する。）。
ａ「The following invention relates to surgical stents of a generally cylindrical configuration which can be surgically implanted into a body lumen, such as an artery, and radially expanded. More specifically, this invention relates to radially expandable surgical stents which exhibit enhanced flexibility for passage through tortuous arterial pathways and other sharply curved body lumens.（本発明は、体腔（例えば、動脈）内に外科手術で注入され、半径方向に拡張することのできる円筒形状を有する外科用ステントに関し、特に曲がりくねった動脈の通路および他の鋭角に曲がった体腔内の通路に挿入できる柔軟性を向上させた半径方向に拡張可能な外科用ステントに関する。）」（１頁３乃至６行）
ｂ「To maximize the flexibility of the stent and allow the stent to navigate highly curved tortuous arterial pathways, axial elements in the form of enhanced flexibility linking elements are provided spanning gaps between some of the struts. The gaps which are spanned by linking elements can be readily bent because the linking elements include a means to expand and contract axially.（ステントの柔軟性を最大にしてステントが非常に曲がりくねった動脈通路内を誘導できるようにするために、柔軟性を向上させたリンク要素である軸方向素子が支柱の間のギャップに張られる。リンク要素により張られたギャップは、容易に曲げることができる。その理由はリンク要素は軸方向に伸縮する手段を有するからである。）」（３頁１６乃至１９行）
ｃ「In essence, and with particular reference to Figures 1 and 2, the stent 10 includes the following basic features. A series of circumferential elements such as struts 20a, 20b, 20c, 20d, 20e, 20f are each oriented in a manner circumscribing the cylindrical contour of the stent 10. Each strut 20 includes a series of bends 30 (Figures 3 and 4) providing the strut 20 with its wave-like form. Each strut 20 is spaced from adjacent struts 20 by a gap 40 there between. A series of tie bars 50 extend between adjacent struts 20, and across the gap 40, connecting the adjacent struts 20 to each other. The tie bars 50 act as axial elements maintaining the axial position of the struts 20 during radial expansion of the stent 10 along arrow R (Figure 2).（図１，２を参照すると、ステント１０は以下のような基本的な特徴を有する。支柱２０ａ，２０ｂ，２０ｃ，２０Ｄ，２０ｅ，２０ｆのような一連の円周方向要素は、ステント１０の円筒形状を規定するように方向づけられている。各支柱２０は、支柱２０に波形状を与えるための一連の湾曲部３０（図３，４）を有する。各支柱２０と隣接する支柱２０との間にはギャップ４０が形成されている。一連の連結バー５０は、隣接する支柱２０間を（かつギャップ４０に跨って）延びて隣接する支柱２０を互いに接続する。この連結バー５０は、ステント１０が矢印Ｒ（図２）に沿って半径方向に延びる間、支柱２０の軸方向位置を維持する軸方向要素として機能する。）」（６頁１乃至８行）
ｄ「As an alternative to the surgical stent 10 of the preferred embodiment, a surgical stent 110 (Figures 5 and 6) is provided featuring links 180 spanning certain of the portions of the stent 110. The stent 110 is similar in configuration to the stent 10 of the preferred embodiment except as specifically identified below. Thus, the stent 110 includes struts 120 which provide circumferential elements for the stent 110 with bends 130 similar to the bends 30 in the struts 20 of the preferred embodiment and gaps 140 between adjacent struts 120. Each bend 130 includes a series of alternating troughs 132 and crests 136. Tie bars 150 similar to the tie bars 50 of the preferred embodiment are interposed across some of the gaps 140, while other gaps 140 are provided with the links 180.（この実施例のステント１０の別の実施例として、外科用ステント１１０（図５，６）は、ステント１１０のある部分を張る特徴リンク１８０を具備する。ステント１１０は、ステント１０の構造と類似であるが以下の相違点を有する。ステント１１０は支柱１２０を有し、この支柱１２０はステント１１０の周囲方向要素に湾曲部１３０（これは支柱２０の湾曲部３０に類似する）を具備し、湾曲部１３０と隣接する支柱１２０間にギャップ１４０を形成する。各湾曲部１３０は、谷１３２と山１３６を交互に有する。連結バー５０に類似する連結バー１５０があるギャップ１４０の間に配置されるが、他のギャップ１４０にはリンク１８０が配置される。）」（９頁２３乃至３１行）
ｅ「Each link 180 is a thin elongate structure having a left end 182 (Figure 6), a right end 184 and an elbow 186 located medially between the left end 182 and the right end 184. Thus, the link 180 is provided with a left arm 187 extending from the left end 182 to the elbow 186 and a right arm 188 extending from the right end 184 to the elbow 186. Preferably, the elbow 186 causes the left arm 187 to be perpendicular to the right arm 188. The elbow 186 provides a particular location where the left arm 187 and right arm 188 of each link 180 can flex toward or away from each other about arrow F (Figure 6) in a manner facilitating flexibility for the entire stent 110 when being threaded through arterial pathways.（各リンク１８０は、左端１８２（図６）と右端１８４とそれらの間にあるエルボー１８６を有する細長構造物である。かくしてリンク１８０は、左端１８２からエルボー１８６に延びる左側アーム１８７と、右端１８４からエルボー１８６に延びる右側アーム１８８を有する。好ましくはこのエルボー１８６により左側アーム１８７は、右側アーム１８８に対し直交する。エルボー１８６は、リンク１８０の左側アーム１８７と右側アーム１８８が矢印Ｆに示すように、互いの方向に向かったりあるいは互いに離れたりする。これは動脈通路内をステント１１０が延びるときにステント１１０に柔軟性を与える。）」（９頁３５行乃至１０頁４行）
ｆ「Each link 180 acts as an axial element which adds flexibility to the stent 110. ・・・Particularly, Figures 19-21 show three flex enhancement links 580,680,780 which reveal three alternative embodiments for enhancing the flexibility of the elbows 186 of the links 180 of the stent 110. 
  The first flex enhancement link 580 features a left end 582 adjacent one crest 136 and a right end 584 adjacent another crest 136. An elbow 586 is located between a left arm 587 extending from the left end 582 and a right arm 588 extending from the right end 584. ・・・
  The elbow 586 includes a bight 590 on an inside portion of the elbow 586 and a left depression 592 on an outside portion of the elbow 586 adjacent the left arm 587 and a right depression 594 on a portion of the elbow 586 adjacent the right arm 588. The elbow 586 has a width between the bight 590 and the left depression 592 and right depression 594 which is less than a thickness of the left arm 587 and the right arm 588. 
  This lessening in thickness can either be caused by forming the elbow 586 with this desired thinness initially or can be provided during a later step in the formation of the stent 110. For instance, when electropolishing or other polishing techniques are utilized, the elbow 586 being a point where a sharp bend occurs, provides a zone of concentrated charge where a greater amount of electropolishing occurs and which naturally results in the elbow 586 polishing down to a contour having a lesser thickness. 
  A second flex enhancement link 680 (Figure 20) is similar to the first flex enhancement link 580 except that the elbow 686 of the second flex enhancement link 680 has an outside depression 592 opposite the bight 590 so that only a single narrow location in the elbow 686 is provided. The third flex enhancement link 780 (Figure 21) is similar to the second flex enhancement link 680 except that the elbow 786 has a flat outside truncation 792 opposite the bight 590 to provide the elbow 786 with the desired thinness compared to the arms such as the arms 587,588 of the first flex enhancement link 580, for facilitating flexing of the links 580,680,780 at the elbows 586, 686,786.（各リンク１８０は、ステント１１０に柔軟性を与える軸方向要素として機能する。・・・特に図１９−２１は、３個の曲げ改善リンク５８０，６８０，７８０を示しており、これらはステント１１０のリンク１８０のエルボー１８６の柔軟性を向上させる３種類の実施例である。
　第１の曲げ改善リンク５８０は、ある山１３６に隣接する左端５８２と別の山１３６に隣接する右端５８４を有する。エルボー５８６は、左端５８２から延びる左側アーム５８７と右端５８４から延びる右側アーム５８８との間に配置される。・・・
　エルボー５８６は、エルボー５８６の内側部分にバイト（湾曲）５９０と、左側アーム５８７に隣接するエルボー５８６の外側部分に左側凹部５９２と、右側アーム５８８に隣接するエルボー５８６の部分に右側凹部５９４を有する。このエルボー５８６の、バイト５９０と左側凹部５９２と右側凹部５９４の間の太さは、左側アーム５８７と右側アーム５８８の太さ以下である。
　このように太さを減らすことは、エルボー５８６を所望の初期細さで形成するか、あるいはステント１１０の形成の時、後のステップの間に形成することもできる。例えば、電子研磨あるいは他の研磨技術を用いて鋭い曲げが発生する点であるエルボー５８６は、大量の電子研磨が発生する集中チャージゾーンを提供し、その結果自然とエルボー５８６は、より細い形状にまで研磨される。
　第２の曲げ改善リンク６８０（図２０）は、第１の曲げ改善リンク５８０に類似するが、ただし第２の曲げ改善リンク６８０のエルボー６８６はバイト５９０に対向して外側凹部６９２を有し、その結果エルボー６８６内に唯一の狭い部分が提供される点で異なる。第３の曲げ改善リンク７８０（図２１）は、第２の曲げ改善リンク６８０に類似するが、ただしエルボー７８６は、曲げ改善リンク５８０に対向して平坦な外側台形部７９２を有し、これによりエルボー７８６に第１の曲げ改善リンク５８０のアーム５８７，５８８のようなアームに比較すると所望の細さをエルボー７８６に与えることができる。これによりエルボー５８６，６８６，７８６で、曲げ改善リンク５８０，６８０，７８０の曲げが容易となる。）」（１４頁３４行乃至１５頁２６行）
　
ｇ　図１及び２の記載から、支柱２０ａ，２０ｂ，２０ｃ，２０ｄ，２０ｅ，２０ｆは、それぞれ、ステント１０の長手方向軸の周囲で延びる外周を有し、ステント１０の長手方向軸と直交する曲がりくねった波形パターンに形成される構造であることが窺える。
ｈ　図５の記載から、連結バー１５０とリンク１８０は、それぞれ、支柱１２０と支柱１２０との間で延びることで隣りあう支柱同士を接続する構造であることが窺える。
　
　記載事項ａの「体腔（例えば、動脈）内に外科手術で注入され、半径方向に拡張することのできる円筒形状を有する外科用ステント」との記載から、引用例のステントは「体管腔内に留置させるためのステント」といえるものである。
　
　記載事項ａの「半径方向に拡張することのできる円筒形状を有する外科用ステントに関（する）」との記載、記載事項ｃの「支柱２０ａ，２０ｂ，２０ｃ，２０Ｄ，２０ｅ，２０ｆのような一連の円周方向要素は、ステント１０の円筒形状を規定するように方向づけられている。各支柱２０は、支柱２０に波形状を与えるための一連の湾曲部３０（図３，４）を有する。各支柱２０と隣接する支柱２０との間にはギャップ４０が形成されている。」との記載、及び、記載事項ｇの構造を併せてみることにより、引用例のステント１０は、ステント１０の長手方向軸の周囲で延びる外周を有し且つ単独で径方向に拡張可能である複数の隣り合う支柱２０ａ，２０ｂ，２０ｃ，２０ｄ，２０ｅ，２０ｆであって、ステント１０の長手方向軸と直交する曲がりくねった波形パターンに概ね形成されている複数の隣り合う支柱２０ａ，２０ｂ，２０ｃ，２０ｄ，２０ｅ，２０ｆを備えているといえるものである。
　そして、記載事項ｄから、図５及び６に示されたステント１１０の支柱１２０，１２０，１２０，１２０，１２０，１２０は、上記ステント１０の支柱２０ａ，２０ｂ，２０ｃ，２０ｄ，２０ｅ，２０ｆの構造と同様の構造をもつものであるから、ステント１１０も、ステント１１０の長手方向軸の周囲で延びる外周を有し且つ単独で径方向に拡張可能である複数の隣り合う支柱１２０，１２０，１２０，１２０，１２０，１２０であって、ステント１１０の長手方向軸と直交する曲がりくねった波形パターンに概ね形成されている複数の隣り合う支柱１２０，１２０，１２０，１２０，１２０，１２０を備えているといえるものである。
　
　記載事項ｆの「A second flex enhancement link 680 (Figure 20) is similar to the first flex enhancement link 580 except that the elbow 686 of the second flex enhancement link 680 has an outside depression 592 opposite the bight 590 so that only a single narrow location in the elbow 686 is provided.（第２の曲げ改善リンク６８０（図２０）は、第１の曲げ改善リンク５８０に類似するが、ただし第２の曲げ改善リンク６８０のエルボー６８６はバイト５９０に対向して外側凹部６９２を有し、その結果エルボー６８６内に唯一の狭い部分が提供される点で異なる。）」との記載は、図２０の記載を併せてみて、「A second flex enhancement link 680 (Figure 20) is similar to the first flex enhancement link 580 except that the elbow 686 of the second flex enhancement link 680 has an outside depression 
692
690
６９０
　
　以上から、引用例には、つぎの発明（以下、「引用発明」という。）が記載されている。
　
　「体管腔内に留置させるためのステント１１０であって、
　それぞれがステント１１０の長手方向軸の周囲で延びる外周を有し且つ単独で径方向に拡張可能である複数の隣り合う支柱１２０，１２０，１２０，１２０，１２０，１２０であって、ステント１１０の長手方向軸と直交する曲がりくねった波形パターンに概ね形成されている複数の隣り合う支柱１２０，１２０，１２０，１２０，１２０，１２０と、
　前記支柱間で延びることで隣り合う支柱同士を接続する複数の連結バー１５０と曲げ改善リンク６８０であって、そのうちの前記曲げ改善リンク６８０に、その柔軟性を向上させるための、外側凹部６９２とバイト６９０とが形成されている、複数の連結バー１５０と曲げ改善リンク６８０と、
　を備え、
　前記曲げ改善リンク６８０には、外側凹部６９２とバイト６９０とが形成される、ステント１１０。」
　
（３）対比
　本願補正発明と引用発明とを対比する。
　引用発明と本願補正発明とは、いずれも体管腔内に留置させるためのステントに関するものであるから、引用発明の「ステント１１０」は、本願補正発明の「ステント」に相当する。
　また、引用発明の「支柱１２０」と本願補正発明の「円筒部材」とは、「拡張部材」であるかぎりにおいて一致する。
　また、引用発明の「連結バー１５０」及び「曲げ改善リンク６８０」は、本願補正発明の「相互接続部材」に相当する。
　また、引用発明の「柔軟性を向上させる」は、本願補正発明の「屈曲性を高める」に相当する。
　さらに、引用発明の「外側凹部６９２」、「バイト６９０」は、本願補正発明の「屈曲部」に相当する。
　
　したがって、本願補正発明と引用発明とは、
「体管腔内に留置させるためのステントであって、
　それぞれがステントの長手方向軸の周囲で延びる外周を有し且つほぼ単独で径方向に拡張可能である複数の隣り合う拡張部材であって、ステントの長手方向軸と直交する曲がりくねった波形パターンに概ね形成されている複数の隣り合う拡張部材と、
　前記拡張部材間で延びることで隣り合う拡張部材同士を接続する複数の相互接続部材であって、そのうちの幾つかに、その屈曲性を高めるための一個または複数個の屈曲部が形成されている複数の相互接続部材と、
　を備え、
　前記各相互接続部材には、少なくとも１つの屈曲部が形成される、ステント。」である点で一致し、つぎの点で相違する。
　
［相違点１］
　拡張部材について、本願補正発明は「円筒部材」であるのに対し、引用発明の「支柱１２０」は円筒部材といえるかどうか不明な点。
　
［相違点２］
　屈曲部について、本願補正発明は「屈曲部は、両側の相互接続部材から明瞭に区別される切欠部を形成する」構成であるのに対し、引用発明の屈曲部は当該構成を有するかどうか不明な点。
　
（４）判断
［相違点１］について
　記載事項ａ及びｃの記載からみて、引用発明のステントは、円筒形状を有するものであり、しかも、当該円筒形状は複数の隣り合う支柱１２０により形成されているものである
　したがって、当該事項を考慮し、引用発明の支柱１２０を円筒部材の形状とすることは当業者であれば容易になし得る程度の事項にすぎない。
　
［相違点２］について
　記載事項ｆの「このエルボー５８６の、バイト５９０と左側凹部５９２と右側凹部５９４の間の太さは、左側アーム５８７と右側アーム５８８の太さ以下である。」、「第２の曲げ改善リンク６８０のエルボー６８６はバイト６９０に対向して外側凹部６９２を有し、その結果エルボー６８６内に唯一の狭い部分が提供される点で異なる。」との記載から、引用発明の屈曲部（外側凹部６９２、バイト６９０）は、その太さを、その両側の部材（図２０に記載された部材のうち、図１９の左側アーム５８７と右側アーム５８８に対応する部材）の太さ以下に形成するものである。
　また、同じく記載事項ｆの「電子研磨あるいは他の研磨技術を用いて鋭い曲げが発生する点であるエルボー５８６は、大量の電子研磨が発生する集中チャージゾーンを提供し、その結果自然とエルボー５８６は、より細い形状にまで研磨される。」との記載から、引用発明の当該屈曲部は研磨により形成することができるものである。
　したがって、引用発明の屈曲部の形状とその形成方法を考慮すれば、引用発明の屈曲部について、「屈曲部は、両側の相互接続部材から明瞭に区別される切欠部を形成する」構成とすることは、当業者が必要に応じてなし得る程度の事項にすぎない。
　この点に関し、請求人は「引用文献１において、曲げ改善リンク（相互接続部材）は、永続的な予め形成された湾曲部または折れ曲がり部（エルボー５８６、６８６、７８６）を有しているが、この柔軟性はある程度制限される。
　これに対して、本願発明によれば、両側のストラット部分（相互接続部材）から明瞭に区別される切欠部が、引用文献１に示すような予め形成された湾曲部より大幅に高い柔軟性を与えるので、引用文献１のような「永続的な予め形成された湾曲部または折れ曲がり部」を設けることなく、ストラット（相互接続部材）を柔軟にすることができる。
　また引用文献１において、エルボー５８６の周囲に凹部（５９２、５９４）が設けられているが、これは永続的な予形成された湾曲部または折れ曲がり部（エルボー５８６、６８６、７８６）における曲げを容易にするものであっても、それ自体が屈曲するものではなく、したがって、本願発明における屈曲部とは構成が異なっている。」と主張している（【請求の理由】を参照。）。
　しかしながら、上述したとおり、引用発明において、本願補正発明の「屈曲部」に対応するものは「エルボー６８６」でなく、「曲げ改善リンク６８０」における「外側凹部６９２」と「バイト６９０」である。
　しかも、引用発明は、「エルボー５８６の内側部分にバイト（湾曲）５９０と、左側アーム５８７に隣接するエルボー５８６の外側部分に左側凹部５９２と、右側アーム５８８に隣接するエルボー５８６の部分に右側凹部５９４を有」することにより、「エルボー５８６，６８６，７８６で、曲げ改善リンク５８０，６８０，７８０の曲げが容易となる。」ものである（記載事項ｆを参照。）。
　したがって、引用発明は、「外側凹部６９２」と「バイト６９０」を設けることによりエルボー６８６で曲げを容易とし、その結果、「曲げ改善リンク６８０」の曲げを容易とするものであるから、引用発明の「外側凹部６９２」と「バイト６９０」は、本件補正発明の、相互接続部材の屈曲性を高めるための屈曲部と、作用において相違するものでもない。
　よって、請求人の上記主張は理由がない。
　
　そして、本願補正発明の作用効果については、引用発明から当業者が予測できる範囲のものである。
　
　したがって、本願補正発明は、引用発明に基いて、当業者が容易に発明をすることができたものであるから、特許法第２９条第２項の規定により特許出願の際独立して特許を受けることができない。
　
（５）小括
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであるので、同法１５９条第１項において読み替えて準用する同法第５３条第１項の規定により却下すべきものである。
　
３．本願発明について
　本件補正は前記のとおり却下されたので、本件出願の各請求項に係る発明は、平成１８年８月１６日付け手続補正書により補正された特許請求の範囲の請求項１乃至１９に記載された事項により特定されるものにあると認められるところ、請求項５には、つぎのとおり記載されている。
　
「　【請求項５】
　体管腔内に留置させるためのステントであって、
　それぞれがステントの長手方向軸の周囲で延びる外周を有し且つほぼ単独で径方向に拡張可能である複数の隣り合う円筒部材であって、ステントの長手方向軸と直交する曲がりくねった波形パターンに概ね形成されている複数の隣り合う円筒部材と、
　前記円筒部材間で延びることで隣り合う円筒部材同士を接続する複数の相互接続部材であって、そのうちの幾つかに、その屈曲性を高めるための一個または複数個の屈曲部が形成されている複数の相互接続部材と、
　を備え、
　前記各相互接続部材には、少なくとも１つの屈曲部が形成されている、ステント。」（以下、この発明を「本願発明」という。）
　
４．引用刊行物
　原査定の拒絶の理由に引用された刊行物である引用例及びその記載事項は、前記「２．（２）」に記載したとおりである。
　
５．対比・判断
　本願発明は、前記「２．（１）」で検討した本願補正発明の屈曲部についての限定を省くものである。
　
　そうすると、本願発明の構成要件を全て含み、さらに他の構成要件を付加したものに相当する本願補正発明が、前記「２．（３）、（４）」で検討したように、引用発明に基いて、当業者が容易に発明をすることができたものであるから、本願発明も、同様に引用発明に基いて、当業者が容易に発明をすることができたものである。
　
６．まとめ
　以上のとおりであるから、本願発明は、特許法２９条第２項の規定により特許を受けることができない。
　そうすると、このような特許を受けることができない発明を包含する本件出願は、本件出願の他の請求項に係る発明について検討するまでもなく、拒絶されるべきものである。
　よって、結論のとおり審決する。